(57)【特許請求の範囲】
【請求項１】
収集区間（２）に沿って印刷全紙（３，７）を馬乗り状にまたがって収集しかつ搬送するための装置（１）であって、収集区間（２）に沿って配置されたフィーダから供給され、印刷全紙（３，７）のための鞍状の支え台（４）および被駆動の連行部材（５）を有する搬送装置（６）により形成されている前記装置において、
収集区間（２）に沿って、支え台（４）または印刷全紙（３）上に置かれた印刷全紙（７）の少なくとも一つの脚部（１１）を持上げて外す案内装置（１２）と、持ち上げて外された脚部（１１）の搬送軌道の中へ突出していて、印刷全紙（３，７）を搬送方向前縁（１０）に突き当たるように捉え、かつ搬送された印刷全紙（３，７）から排除可能なストッパー装置（３１）とが配置されていることを特徴とする装置。
【請求項２】
少なくとも、印刷全紙（３，７）の搬送方向に第一のフィーダ（Ａ）の後に続くフィーダ（Ｂ）に、案内装置（１５）とストッパー装置（３１）で形成された突き当て装置（９）が付設されていることを特徴とする請求項１に記載の装置。
【請求項３】
案内装置（１５）は少なくとも鞍状の支え台（４）の片側に、これと共に収集された印刷全紙（３，７）の脚部（１１）のための案内間隙を形成するように配置されていることを特徴とする請求項１または２に記載の装置。
【請求項４】
案内間隙（１６）は少なくとも案内装置（１２）の側方の調整により変えることができることを特徴とする請求項３に記載の装置。
【請求項５】
案内装置（１２）には、圧縮空気を導く導管（２７，４０）として、選択的に上方へおよび／または下方へ方向付けられた出口開口（２８，３９）が形成されていることを特徴とする請求項３または４に記載の装置。
【請求項６】
案内条片（１５）として形成された案内装置（１２）の搬送方向（Ｆ）前端が漏斗状の走入開口（１７）として作用するように形成されていることを特徴とする請求項１から５までのうちのいずれか一つに記載の装置。
【請求項７】
ストッパー装置（３１）が、搬送方向（Ｆ）に見て印刷全紙（３）の少なくとも一つの脚部（１１）の前縁（１０）に作用する、爪状のストッパー（３３）を有することを特徴とする請求項１から６までのうちのいずれか一つに記載の装置。
【請求項８】
ストッパー装置（３１）は、フレーム（１４）と連結された調整可能な担持アームまたは支持体（３２）に旋回可能なストッパー（３３）を有することを特徴とする請求項７に記載の装置。
【請求項９】
多数のフィーダが配置された収集区間に沿って印刷全紙を馬乗りにまたがって収集しかつ搬送するための方法であって、前記フィーダは、鞍状の支え台とぐるりと回っている引張部材に固定された連行部材（５）とからなる搬送装置（６）に前後して印刷全紙（３，７）を供給する方法において、
収集区間（２）に供給された印刷全紙（３，７）の少なくとも１つの脚部（１１）が支え台（４）から遠ざけられて保持されかつ印刷全紙（３）の前縁（１０）に方向づけられたストッパー装置（３１）の作用後始めて支え台（４）に当てられることを特徴とする方法。
【発明の詳細な説明】
【０００１】
【発明の属する技術分野】
本発明は、収集区間に沿って印刷全紙を馬乗りにまたがって収集しかつ搬送するための装置であって、収集区間に沿って配置されたフィーダから供給されていて、印刷全紙のための鞍状の支え台および被駆動の連行部材を有する搬送装置により形成されている装置に関する。
【０００２】
この種の装置は、例えば収集区間に綴じ装置が接続している書類綴じにおいて利用される。
【０００３】
【従来の技術】
収集区間の搬送装置に供給する際に、フィーダから引き渡された印刷全紙が搬送方向後縁で、それに付設された搬送装置の連行部材にではなく、その前に間隔を置いて静止するように降ろされることが起こるか、または印刷全紙が動的な力に基づいて連行部材と衝突することにより離れるかまたは突然の機械停止により連行部材から搬送方向に搬送装置上で離れることが起こるのはまれではない。これまで、これらの状況には、印刷全紙にブレーキを掛けるように作用するブラシまたはばねのような手段で対処された。これらの手段は印刷全紙のあいている表面を摩擦で捉えて連行部材の後方の端部位置へ移動させた。しばしば、摩擦で印刷全紙に作用する手段が印刷全紙の間の不十分な滑り挙動のためおよび／または圧力発生のために前もって考慮に入れた印刷全紙の下の規格寸法の大きさが種々あることにより、連行部材に印刷全紙の規則正しい配置を達成することができるためには不十分である。
【０００４】
【発明が解決しようとする課題】
そこから出発して、本発明では、有利な装置により前記の欠点を除くための課題を設定した。
【０００５】
【課題を解決するための手段】
本発明により、この課題は、収集区間に、印刷全紙上に置かれた印刷全紙の少なくとも一つの脚部を持上げて外す案内装置と、持ち上げられて外された脚部の搬送軌道の中へ突出していて、１つ以上の印刷全紙を搬送方向前縁で突き当たるように捉え、かつ搬送された印刷全紙から排除可能なストッパー装置が配置されていることにより解決される。
【０００６】
それにより、さらに加工するために印刷全紙の共通の基準位置に関して信頼性を著しく改善することができる。
【０００７】
多数のフィーダが配置されている収集区間に沿って印刷全紙を馬乗り状にまたがって収集するために、方法的に、本発明により、前記フィーダは、鞍状の支え台から導かれていて、ぐるりと回っている引張部材に固定されている連行部材からなる搬送装置に前後して印刷全紙を供給し、収集区間に供給される印刷全紙の少なくとも一つの脚部を支え台から遠ざけて保持し、そして印刷全紙の前縁に方向付けられたストッパー装置の作用後始めて支え台に当てるかまたは収集された印刷全紙を支え台に側方で当てる。
【０００８】
それにもかかわらず、支え台に存在する印刷全紙を一方の脚部の前縁で捉えるただ１つのストッパー装置を第一のフィーダに付設することができる。しかしながら、フィーダは交換可能であるので、第一のフィーダにも完全な突き当て装置を有効に付設することができる。
【０００９】
収集区間の端部に、収集された印刷全紙が１つの共通の限定位置を有しない場合について、搬送方向で最後のフィーダに引き続いて、収集区間に、収集された印刷全紙の搬送ウエブに接続可能なストッパー装置を付設することができる。
【００１０】
【発明の実施の形態】
引き続き、本発明を、明細書に詳細に述べられていないすべてのユニットに関して参照される図面に関連して実施の形態により説明する。
【００１１】
図１と２は、例えば収集書類ばさみの、簡潔に示した収集区間２における本発明による装置１を示しており、この装置は、印刷全紙を馬乗り状にまたがって収集しかつ搬送するために、駆動可能なまたは固定した鞍状の支え台４と、連続的にぐるりと回っている引張手段に固定された連行部材５を一緒に有する搬送装置６とから形成されている。図３と４は概略的に示した支え台４の構造を示しており、引張手段４５が鞍状に形成されかつ間隔を置いて固定された連行部材５を有する。引張手段４５はローラチェンで形成することができるが、担持体４７に固定されたガイドウエブ４６上を延びている。さらに、図１と２には収集区間２に沿って、収集区間２に相前後して印刷全紙を供給する、比較的多数の印刷全紙フィーダが−そのうちの一つが矢印Ｂで示してある−配置されている。図１と２は右から左へ矢印Ｆにより２枚の印刷全紙３，７の過程を仲介する。右から搬送装置６により移送された最初の印刷全紙３上に、引き続き第二の印刷全紙７がフィーダＢから降ろされているが、まだなお、印刷全紙７の端部縁が連行部材５に存在する最終的なさらなる加工位置に到達していない。さらに進んだ道程上で、印刷全紙７´が搬送装置６上のその端部位置に到達して、今やその後縁８で連行部材５´に近接している。
【００１２】
その過程を実施するために、図示されていないフィーダＡから図１と２の右側で最初の印刷全紙３が収集区間２上で馬乗り状にまたがって載せられ、そしてすぐ引き続きその後縁で搬送装置の連行部材により捉えられる。たとえ、支え台４と最初の印刷全紙３の間に比較的好都合な滑り比率があるとしても、すでにフィーダＡに本発明による突き当て装置を付設することもできるが、ただしその突き当て装置を付設することもできるが、ただしその突き当て装置は図１と２には認められない。印刷全紙３は象徴的に矢印で書き留められたフィーダＢに付設された突き当て装置９の作用領域にすでに到達していて、かつ一方の脚部１１の前縁１０で支え台４と、これから一方の側に間隔を置いた案内装置１２との間に搬入されている。案内装置１２は担持装置１３により装置１のフレーム１４と調整可能に連結されている。図１，２および３は案内装置１２の調整可能性のために使用された手段を示す。圧縮空気用の導管として役立つ案内条片１５が支え台と共に側方の案内間隙１６を形成しており、この案内間隙を通ってその都度、上に置かれたフィーダ−ここではフィーダＡ−から引き渡されている、収集された印刷全紙３の１つの脚部または片側で互に隣接している、より多くの脚部１１が搬送装置６により移送される。案内条片１５の搬送方向前端が漏斗状の走入開口１７を形成している。走入開口１７の後方で、案内条片１５の外側に、突き出ている板１８が固定されており、この板１８は案内条片１５の高さ調整のために、下方に突出するレバーアーム２０の案内スリット１９内を垂直に調整可能である。案内条片１５に対する間隔について案内間隙１６を変えるためにレバーアーム２０が上端でフレーム１４に固定された支持体２１に支承されている。レバーアーム２０の支承のために、支持体２１とねじ留めされたリーマーボルト２２が設けられ、このリーマーボルト２２は、ねじ頭部と、支承部分に着座するレバーアーム２０との間に、挟みこまれた皿ばね２３を有する。レバーアーム２０の下端には、球グリップ２４が設けられている。
【００１３】
レバーアーム２０を貫通する六角頭ボルト２５がねじ側端部で、支持体２１に形成されたストッパー面２６に当たりかつ回転すると支え台４と案内条片１５の間の間隔の変化を生じさせる。案内間隙１６は、図１〜４から推定できるように、導管として形成されている案内条片１５を介して圧縮空気を供給することができる。このために、ほぼ案内条片１５の長さを延びている孔２７が設けられ、この孔は案内条片１５の後端まで達している。少なくとも案内条片１５の後方領域に上方に向けられている供給された圧縮空気用の出口開口２８を有するラインが、案内条片１５と結合された板の連結された接続孔２９を介して与えられる。さらに、接続孔２９は接続可能な圧縮空気源（見えない）と接続されている。追加して、下方に向けられていてかつ案内条片１５のほぼ全長にわたって分配された、別個の接続部４１を有する別個の孔４０の出口開口３９によれば、印刷全紙が角に沿って折れ曲がる可能性を、特に垂れ下がっている内側の脚部１１の角について、供給される圧縮空気により阻止することができる。
【００１４】
突き当て装置９は、案内条片１５の端部に、案内条片により支え台４から持ち上げられて外された印刷全紙３の脚部１１に作用する、突き当て装置９の部分を形成するストッパー装置３１を有する。ストッパー装置３１は、フレーム１４と連結された調整可能な担持アームまたは支持体３２に旋回可能なストッパー３３を有する。このストッパーは、作用位置で、担持アーム３２の旋回制限部材３５に対するトーションばね３４の圧力下に、案内条片１５を越えて垂れ下がっている印刷全紙３の脚部１１の、収集区間２にほぼ平行な搬送軌道を通過させる。それにより、上に存在する印刷全紙７の後縁８が連行部材５´に接した状態に置かれる。連行部材５´に近接している印刷全紙７は今や引き続き搬送装置６の前進運動により印刷全紙７の前縁１０でストッパー３３をトーションばね３４の力に抗して旋回運動により脚部１１の搬送軌道から持ち上げる。ストッパー３３の旋廻軸を形成するねじ４２にはめ込まれたトーションばね３４の力は、ねじ４２の回転により変えることができる。ストッパー３３は、緩めることができるクランプ結合３６により高さも側方も調整することができる（図４参照）。
【００１５】
搬送方向Ｆに指向する案内条片１５の端部に、この案内条片は凹部３７を有し、この凹部の中にストッパー３３が作動位置に突出することにより、突き当てられた当該脚部１１が案内条片１５に衝突するまで完全に隣接することができる。
【００１６】
脚部１１の剛性を衝突時点まで助長するために、案内条片１５からほぼ凹部３７の高さに向き合って、脚部１１を案内条片１５に保持するガードレール３８が設けられている。ガードレール３８は支持体に調整可能に固定されている。
【図面の簡単な説明】
【図１】  簡潔に示した収集区間における本発明による装置の正面図である。
【図２】  図１の実施の形態で説明した収集区間の平面図である。
【図３】  図１の線ＩＩＩ−ＩＩＩに沿って切断した収集区間の横断面図である。
【図４】  図１の線ＩＶ−ＩＶに沿って切断した収集区間の横断面図である。
【符号の説明】
１          印刷全紙を馬乗り状に収集しかつ搬送する装置
２          収集区間
３，７      印刷全紙
４          支え台
５          連行部材
６          搬送装置
１０          前縁
１１          印刷全紙の脚部
１２          案内装置
１５          案内条片
１６          案内間隙
２７，４０    導管
２８，３０    出口開口
３１          ストッパー装置
３２          支持体
３３          爪状のストッパー
３５          旋回制限部材
３８          ガードレール
Ａ、Ｂ      フィーダ
Ｆ          搬送方向
【図１】
0004902055.tif 000002
【図２】
0004902055.tif 000003
【図３】
0004902055.tif 000004
【図４】
0004902055.tif 000005